(57)【要約】【課題】  本発明は、キャリ−バックの既存把持ハンドルにベルクランク型把持ハンドルを付加し、キャリ−バックを身体の脇前方視野内に置いて押す方式を採り、より安全性の高さと身体への負荷低減（特に手首）を図るものである。【解決手段】  本発明は、ベルクランク型把持ハンドル（３）を既存の把持ハンドル（１）にベ−スカバ−（２）を介して固定し、ベ−スカバ−（２）とベルクランク型把持ハンドル（３）とは２カ所の回動軸（６）で連結され、ベルクランク型把持ハンドル（３）は２枚のベルクランクア−ム（３１、３２）と把持ハンドル（４）とから構成され、ネジ（９）で固定し、把持ハンドル（４）が進行方向上向き傾斜角を得られるように、ベ−スカバ−（２）の両端とベルクランクア−ム（３１、３２）とに相対する磁石群Ａ（７１、７２）と磁石群Ｂ（８１、８２）を設け、磁力の吸力／斥力作用を利用することにより回動、固定したベルクランク型把持ハンドルである。【選択図】図１
2017205470.tif 000002
【特許請求の範囲】
【請求項１】
本発明は、ベルクランク型把持ハンドル（３）を既存の把持ハンドル（１）にベ−スカバ−（２）を介して固定し、ベ−スカバ−（２）とベルクランク型把持ハンドル（３）とは２カ所の回動軸（６）で連結され、ベルクランク型把持ハンドル（３）は２枚のベルクランクア−ム（３１、３２）と把持ハンドル（４）とから構成され、ネジ（９）で固定し、把持ハンドル（４）が進行方向上向き傾斜角を得られるように、ベ−スカバ−（２）の両端とベルクランクア−ム（３１、３２）とに相対する磁石群Ａ（７１、７２）と磁石群Ｂ（８１、８２）を設け、磁力の吸力／斥力作用を利用することにより回動、固定したベルクランク型把持ハンドル。
【発明の詳細な説明】
【技術分野】
【０００１】  手荷物は、ほとんど、キャリ−バック・カ−ト（以下、キャリ−バックという）での持ち歩きの昨今ですが、「キャリ−バックを利用する際には周囲の人の安全に注意ください。」のＪＲ新幹線車内テロップや昨秋からこれに関するポスタ‐が見られる。
本発明は、キャリ−バックの既存把持ハンドルにベルクランク型把持ハンドルを付加し、キャリ−バックを身体の脇前方視野内に置いて押す方式を採り、より安全性の高さと身体への負荷低減（特に手首）を図るものである。
【背景技術】
【０００２】  キャリ−バックを持ち歩く時の動作は、大別すると、うしろ引き方式（キャリ−バックを身体後方に置き前方に傾けて引く）と、脇押し方式（キャリ−バックを身体の横、あるいは、前脇に位置付けて押す。一部引き気味も考えられる）がある。
故意でなく、駅構内や繁華街の混雑する場所で、追い越されたり、交差したときに、足に当り、コワイ思いをしたとか。
ケガや骨折したということを見聞きする。
私自身、東京駅の中央連絡通路でキャリ−バックを、うしろ引きで来た人に当てられヒヤリとした。
うしろ引き方式と脇押し方式は、キャリ−バックの位置が視野外、或いはわずかに視野内のため、キャリーバックの動きへの監視が不十分で、混雑する場所でのニアミス、或いは接触事故を招く危険度を有する。
本発明は、以上の問題点（この様な、ヒヤリとしたり、ケガをしたりすることを回避する）を解決しようとするものである。
うしろ引き方式と脇押し方式との比較してみた。
うしろ引き方式は、キャリ−バックの位置は、視野外となる。
脇押し方式は、一部は視野内。
うしろ引き方式の占有スペ−スは、（バックの巾）×（斜めに引く投影長さ）である。
脇押し方式に比べ大きい。
脇押し方式の占有スペ−スは、（バックの巾）×（バックの厚み）である。
うしろ引き方式のキャスタ−は、動作中は、４輪中２輪使用となる。
倒れないようにするための力が必要である。
脇押し方式のキャスタ−は、４つのキャスタ−で接地している。安定性がある。
うしろ引き方式の身体への負荷は、医学的見地からの「日常生活動向における身体負荷の物理学的考察」−キャリ−バック運搬時の肘への負担に着目して−（愛知県看護大学紀要ＶＯＬ．８．７−１５．２００２）。
キャリ−バックのうしろ引き方式での外顆炎予防方策を検討。
キャリ−バックの大きさ／荷物の重さ／入れ方により重心が変わってくるが、今回の実験結果としてキャリ−バック最適傾き角度２３．５°という値がある。
脇押し方式は、身体への負荷は、医学的見地からの特開番号２０１５−８４９８０、発明の名称：キャリ−バック。−斜めにできるキャリ−ハンドル−（富山大学と共同開発）
既存のキャリ−バックでは、把持ハンドルに上から下への垂直方向の力を加えた状態で前方に押さなければならないため、主に手首に負担がかかる。
【先行技術文献】
【特許文献】
【０００３】
【特許文献１】  特開２０１５−８４９８０号公報
【特許文献２】  特開２０１５−８０５１０号公報
【特許文献３】  特開２０１５−６２４５２号公
【特許文献４】  特開２０１３−０９４６２０号公報
【発明の概要】
【発明が解決しようとする課題】
【０００４】  次のような問題点がある。
（イ）キャリ−バックを視野内に置く。
ニアミス、並びに接触事故の危険度の面からキャリ−バックを視野内に置くことが    最良で、うしろ引き方式や脇押し方式でなく、身体の脇前方で押す方式を採った。
（ロ）身体の脇前方で押す方式とする。
肘と手を身体の脇前方に出し、押す動作となる。
このとき、既存のキャリ−バックは把持ハンドルが床面と水平のため、キャリ−バ    ックの位置が脇うしろでは手首が橈屈、キャリ−バックの位置が脇前へ進むにつれ手    首は尺屈の傾向が強くなる。
その手首の尺屈を緩和するため、進行方向上向き傾斜の把持ハンドル方式を採った    。
（ハ）進行方向上向き傾斜の把持ハンドル方式（本発明）。
キャリ−バックを脇前方に出し、進行方向上向き傾斜の把持ハンドルにすることに    より、手の把持動作もＧｒｉｐｐｉｎｇ（母指と他の４本の指で握る動作）となるの    でキャリ−バック操作のコントロ−ルが容易となる。
《Ｇｒｉｐｐｉｎｇ》
からだの構造面から説明する。
うしろ引きの把持ハンドル動作は、Ｈｏｏｋｉｎｇ（母指以外の４本の指による引っかける動作）。
脇引きの把持ハンドル動作は、Ｇｒｉｐｐｉｎｇ（上から下への垂直方向の力を加えた状態で前方に押す動作）。
本発明の把持ハンドル動作は、Ｇｒｉｐｐｉｎｇ（前方へ押す動作）。
うしろ引きの肩から手首の動きは、肩及び肘とも外旋、或いは内旋。
脇押しの肩から手首の動きは、肘と前腕がやや前で手首は尺屈。
本発明の肩から手首の動きは、肘と前腕は進行方向上向き位置。手首はやや橈屈。
（ニ）キャリ−バックの持ち替え動作が必要である。
キャリ−バックを一方の手から他方へ持ち替える際、把持ハンドルは身体に近い側    に置かなければならない。
そのため、キャリ−バック本体の反転移動動作が必要となる。
片持ち式の把持ハンドルで反転移動を行った場合、把持ハンドルは進行方向下向き    傾斜となってしまう。
進行方向、上向き傾斜を得るため、ベルクランク型の把持ハンドル方式（本発明）    を採った。
【課題を解決するための手段】
【０００５】  本発明は、ベルクランク型把持ハンドル（３）を既存の把持ハンドル（１）にベ−スカバ−（２）を介して固定し、ベ−スカバ−（２）とベルクランク型把持ハンドル（３）とは２カ所の回動軸（６）で連結され、ベルクランク型把持ハンドル（３）は２枚のベルクランクア−ム（３１、３２）と把持ハンドル（４）とから構成され、ネジ（９）で固定し、把持ハンドル（４）が進行方向上向き傾斜角を得られるように、ベ−スカバ−（２）の両端とベルクランクア−ム（３１、３２）とに相対する磁石群Ａ（７１、７２）と磁石群Ｂ（８１、８２）を設け、磁力の吸力／斥力作用を利用した回動、固定したベルクランク型把持ハンドルである。
【発明の効果】
【０００６】  本発明は、キャリ−バックを、
（イ）完全視野内で操作するためには、身体の脇前方で押す。
（ロ）進行方向上向き傾斜の把持ハンドルにより手首の負担軽減が図れ、自然なｇｒｉｐ    ｐｉｎｇが採れキャリ−バック操作のコントロールが容易となる。
以上により、キャリ−バックの「ニアミス、並びに「接触事故の危険度」と「手首の負担」が軽減できる。
【図面の簡単な説明】
【０００７】
【図１】  （ａ）は、本発明の構造を示した側面図である。（ｂ）は、本発明の構造を示した正面図である。
【図２】  本発明の使用状態を示した説明図である。
【図３】  本発明の使用状態を示した説明図である。
【図４】  本発明のベ−スカバ−付属留具の構造を示した拡大図である。
【図５】  本発明のベ−スカバ−付属留具の構造を示した拡大図である。
【発明を実施するための形態】
【０００８】  以下、本発明の実施の形態を説明する。
（イ）本発明は、ベルクランク型把持ハンドル（３）を既存の把持ハンドル（１）にベ−    スカバ−（２）を介して固定する。
（ロ）ベ−スカバ−（２）とベルクランク型把持ハンドル（３）とは二カ所の回動軸（６    ）で連結する。
（ハ）ベルクランク型把持ハンドル（３）は、２枚のベルクランクア−ム（３１、３２）    と把持ハンドル（４）とから構成され、ネジ（９）で固定する。
（ニ）把持ハンドル（４）が進行方向上向き傾斜角を得られるよう下記の動作を行い、把    持ハンドル（４）の進行方向手前側を下げると、ベルクランクア−ム（３１、３２）    が下がり相対する磁石（７１）と磁石（８１）間に吸力作用が働き、「進行方向上向    き傾斜角の把持ハンドル方式」ができあがる。
（ホ）把持ハンドルの上向き傾斜を反対にする場合は、吸力作用中の磁石（８１）の極を    変え斥力作月にし、反対側を下げると相対するベ−スカバ−側の磁石（７２）とベル    クランク側の磁石（８２）との間に吸力作用が働き目的を達する。
以上により、右手でも左手でも使用可能な構造である。
片持ち式把持ハンドルの不採用理由は、持ち替え動作時に把持ハンドルを進行上向    き傾斜のままで身体に近い側に置けないためである。
（ヘ）使用する磁石は円板状でベルクランクア−ム側を半回転させながら変極出来るもの    とする。
なお、磁石の磁気障害或いはアレルギ−を有する人には不適となるが吸力／斥力の    機構に近い方式として「プラステックバックル方式」もある。
（ト）既存の把持ハンドル（１）とベ−スカバ−（２）との固定はベ−スカバ−に付帯す    る留具（５）で行い、既存把持ハンドル（１）は各断面が多様に異なっているので既    存把持ハンドル（１）下部を相対位置にある二カ所で固定する。
その基本機構は、留具（板バネ内蔵型）（５）が内蔵する板バネ（５１）の弾性エ    ネルギーを利用する。
尚、キャリ−バックを収納保管する時には、回動、固定したベルクランク型把持ハ    ンドルは取り外すものとする。
【符号の説明】
【０００９】１    既存キャリ−バックの把持ハンドル
２    ベ−スカバ−
３    ベルクランクア−ム
４    把持ハンドル
５    留具（板バネ内蔵型）
５１  板バネ
６    連結軸
７１  相対するベ−スカバ−側磁石（固定）
７２  同上
８１  相対するベルクランクア−ム側磁石（半廻り式）
８２  同上
９    ネジ
１０  露出孔（既存の把持ハンドル（１）のフレ−ム上下操作押しボタン用）
【図１】
2017205470.tif 000003
【図２】
2017205470.tif 000004
【図３】
2017205470.tif 000005
【図４】
2017205470.tif 000006
【図５】
2017205470.tif 000007